(57)【特許請求の範囲】
【請求項１】
遊技盤の裏面に景品球タンク，該景品球タンクの球を整列して景品球払出装置へ導く樋状のタンクレール等を組付けた機構板を配設してなる
パチンコ機において、
機構板の外側表面に当接するタンクレールの後側壁にＬ字形の係止片と嵌合突子を設け、一方、機構板にはタンクレールの係止片をそれぞれ係止する係止孔と嵌合突子の受部とを設け、タンクレールの嵌合突子を受部に臨ませて該タンクレールを横方向へスライドさせることにより係止片を係止孔にそれぞれ係止させると共に、嵌合突子を受部に受容させ、それによつてタンクレールを機構板に取付けるようにし、さらに、タンクレールの上流側が位置する機構板に突起を設け、一方、タンクレールの上流側に位置した後側壁の裏面に前記突起に嵌合し得る凹溝を設け、該凹溝を突起に嵌合するか又はタンクレールの後側壁の下縁部を突起で受けることによりタンクレールの傾斜勾配を変更可能なように構成したことを特徴とするパチンコ機におけるタンクレールの取付構造。
【請求項２】
タンクレールの下流側が位置する機構板に、該タンクレールの後側壁に設けた嵌合突子を受部に臨ませた状態で、該後側壁の上縁を当接させるガイド突条を設けたことを特徴とする請求項１記載のパチンコ機におけるタンクレールの取付構造。
【発明の詳細な説明】
【０００１】
【産業上の利用分野】
本発明は、パチンコ機において、景品球タンクの球を整列して景品球払出装置へ導くタンクレールの取付構造に関するものである。
【０００２】
【従来の技術】
従来、この種のタンクレールの取付構造は、例えば図１３に示すようにタンクレール１００に長孔状のねじ挿通孔１０１を有する複数の袋状の取付部１０２を一体に設け、一方、タンクレール１００を取付ける機構板１０３には前記取付部１０２に対応させて複数の突起１０４を形成し、タンクレール１００の取付部１０２を機構板１０３の突起１０４にそれぞれ合致させた状態でビス１０５を取付部１０２のねじ挿通孔１０１から突起１０４に螺締することにより取付けるようにしていた。そして、タンクレール１００の傾斜勾配を変更する場合には、ビス１０５を緩るめてねじ挿通孔１０１の範囲内で角度調節した後再びビス止めすることにより行なっていた。
【０００３】
【発明が解決しようとする課題】
従来のパチンコ機におけるタンクレールの取付構造にあっては、複数本のビスを締着しなければならず、その取付けに手間が掛かって作業能率を著しく低下させていた。また、タンクレールの傾斜勾配の変更作業も容易でなかった。
【０００４】
また、パチンコ機において、現状ではこの種のタンクレールの取付けを含む裏部品の組付けに際しては多数のビス止め作業が必要とされており、コストダウンを図るために１本でもビス止め作業を減らすことが重要な課題とされている。
【０００５】
本発明は、従来技術の有するこのような問題点にかんがみてなされたものであり、ビス止めを必要とせず、しかも簡単な構造でタンクレールを確固と取付けることができると共に、傾斜勾配の変更もワンタッチ操作で容易にできるようなパチンコ機におけるタンクレールの取付構造を提供することを目的としている。
【０００６】
【課題を解決するための手段】
上記目的を達成するために、本発明のパチンコ機におけるタンクレールの取付構造は、遊技盤の裏面に景品球タンク，該景品球タンクの球を整列して景品球払出装置へ導く樋状のタンクレール等を組付けた機構板を配設してなるパチンコ機において、機構板の外側表面に当接するタンクレールの後側壁にＬ字形の係止片と嵌合突子を設け、一方、機構板にはタンクレールの係止片をそれぞれ係止する係止孔と嵌合突子の受部とを設け、タンクレールの嵌合突子を受部に臨ませて該タンクレールを横方向へスライドさせることにより係止片を係止孔にそれぞれ係止させると共に、嵌合突子を受部に受容させ、それによつてタンクレールを機構板に取付けるようにしたものである。
【０００７】
また、タンクレールの上流側が位置する機構板に突起を設け、一方、タンクレールの上流側に位置した後側壁の裏面に前記突起に嵌合し得る凹溝を設け、該凹溝を突起に嵌合するか又はタンクレールの後側壁の下縁部を突起で受けることによりタンクレールの傾斜勾配を変更可能なようにしたものである。
【０００８】
さらに、タンクレールの後側壁又は機構板のいずれか一方に係止孔を設け、他方にはタンクレールを取付けた状態で係止孔に合致する弾性係止片を設け、該弾性係止片の先端を係止孔の開口縁に当接させることにより、タンクレールの横ズレを防止するようにしたものである。
【０００９】
また、タンクレールの取付けを容易にするため、機構板に位置決め用のガイド突条を設けることが好ましい。
【００１０】
【作用】
タンクレールの取付けは、まずタンクレールの嵌合突子を機構板の受部に、またタンクレールの係止片を機構板の係止孔にそれぞれ対応させ、然るのちにタンクレールを横方向にスライドさせることによって達らせれる。これによって、嵌合突子が受部に嵌合して受容され、係止片が係止孔にそれぞれ係止されてタンクレールが機構板に確固と取付け固定される。
【００１１】
そして、タンクレールの傾斜勾配の変更は、機構板の突起とタンクレールの凹溝とを嵌合させるか、又はタンクレールの後側壁の下縁部を突起で受けさせるようにすることによって容易に達せられる。
【００１２】
また、タンクレールの横ズレ防止は、タンクレールの取付け時において、該タンクレールの後側壁を機構板に当接して弾性係止片を押圧しながら横方向へスライドさせてタンクレールを取付ける。この取付けと同時に弾性係止片と、係止孔とが一致し、該弾性係止片が押圧から釈放されて弾発力で復帰する。これによって、弾性係止片の先端が係止孔の開口縁に当接して該タンクレールの横ズレを確実に防ぐ。
【００１３】
【実施例】
以下、図面を参照して本発明の一実施例について説明する。図１は本発明が適用されるパチンコ機の裏面図であり、１はパチンコ機の前面枠、２は前面枠１の裏面に着脱自在に取付けられる遊技盤、３は遊技盤２の裏面に開閉自在に装着される合成樹脂製の機構板である。この機構板３の裏面上部には景品球タンク４が固着される。景品球タンク４の下方には、該景品球タンク４の球を整列して導き出すタンクレール５が設けられる。タンクレール５の下流端は、球圧を弱めるための屈曲レール２５を介して景品球払出装置２６に接続されている。従って、景品球タンク４の球は、タンクレール５、屈曲レール２５により整列されながら景品球払出装置２６に連続して導かれることになる。
【００１４】
図２は本実施例の特徴となるタンクレール５の取付構造を説明するため、該タンクレール５を機構板３から分離して示す要部斜視図、図３はタンクレール５の裏面斜視図である。タンクレール５は、機構板３の外側表面に当接する後側壁６と底部７および前側壁８とにより上面開放の樋状に形成されると共に、底部７に仕切壁７ａ，７ａを設けて長手方向に３条の球通路９（図７参照）が形成されている。なお、本発明は、図示しないが球通路９が２条のタンクレールにも同様に適用することができる。
【００１５】
しかして、前記タンクレール５の上流側に位置する後側壁６の側縁部裏面に係止片１０ａが形成され、下側縁部には同じように係止片１０ｂ，１０ｃが形成されている。また、係止片１０ａが形成された側縁部の裏面には横長の凹溝１１が形成され、さらにタンクレール５の下流端近くの下側縁部には嵌合突子１２が突設されている。前記各係止片１０ａ，１０ｂ，１０ｃは、後側壁６の裏面との間に挿入間隔Ｌが形成されるように平面から見てＬ字形（図３において左向き）に形成される。そして、これら挿入間隔Ｌは機構板３の肉厚とほぼ等しく形成される。
【００１６】
一方、機構板３には、タンクレール５の係止片１０ａ，１０ｂ，１０ｃにそれぞれ対応する係止孔１３ａ，１３ｂ，１３ｃが形成される。また、機構板３にはタンクレール５の凹溝１１に嵌合する突起１４とタンクレール５の嵌合突子１１に対応する受部１５とタンクレール５の下流側に位置する後側壁６の上縁部に当接するガイド突条１６がそれぞれ形成される。
【００１７】
前記係止孔１３ａ，１３ｂ，１３ｃの横幅寸法は、係止片１０ａ，１０ｂ，１０ｃの折曲部から先端までの距離より若干大きく形成されている。また、受部１５は上面と一側（図２では左側）が開口した袋状に形成されており、嵌合突子１２を側部から受容可能なように形成されている。
【００１８】
前記タンクレール５の係止片１０ａは、強度を増すため角形基部１７を有し、かつ他の係止片１０ｂ，１０ｃより縦長に大きく形成されている。このため、係止片１０ａに対応する係止孔１３ａも他の係止孔１２ｂ，１２ｃより大きく形成されている。また、角形基部１７の上部には対向片１８が突設され、該対向片１８と後側壁６とによつて係止孔１３ａの上縁部に挿入し得るガイド溝１９が形成されている。また対向片１８には係止孔１３ａの上縁部裏面に当接する突出片２０が一体に形成されている。さらに、前記係止片１０ａの先端内側には爪部２１が形成されており、機構板３の裏面にはタンクレール５を取付けたとき爪部２１が係止される係止溝２２が形成されている。
【００１９】
このような構成からなる本発明において、タンクレール５を機構板３に取付けるには、まず、図５に示すようにタンクレール５の後側壁６を機構板３の外側表面に当接し、嵌合突子１１を受部１５の側部に臨ませると共に、各係止片１０ａ，１０ｂ，１０ｃを係止孔１３ａ，１３ｂ，１３ｃにそれぞれ臨ませる。なお、この際に、タンクレール５の凹溝１１と突起１４が係合し、さら後側壁６の上縁部をガイド突条１６に沿わせることによりタンクレール５の正確な位置づけ機能が与えられる。
【００２０】
次いで、タンクレール５を横方向（図４において右方向）にスライドさせると、図６に示すように嵌合突子１１が受部１５に嵌合して受容されると共に、図７および図８に示すように各係止片１０ａ，１０ｂ，１０ｃが係止孔１３ａ，１３ｂ，１３ｃに係止されることになり、これによつてタンクレール５が機構板３に取付けられる。そして、タンクレール５の取付け状態において係止片１０ａの先端爪部２１は、図７に示すように機構板３の係止溝２２に嵌入してタンクレール５の横ズレを防止するように機能する。また、各係止片１３ａ，１３ｂ，１３ｃの挿入間隔Ｌは、タンクレール５を機構板３に密着させて該タンクレール５の前後方向のガタつきを無くすように機能し、タンクレール５の確固とした取着状態を保証する。
【００２１】
また、本発明のタンクレールの取付構造は、図６鎖線で示すようにタンクレール５の傾斜勾配を容易に変更することが可能である。このタンクレール５の傾斜勾配の変更は基本的には合成樹脂の弾性を利用して行うもので、タンクレール５が取付けられた状態においてタンクレール５の上流側を手で持って上方へ回動するようにひねりを与える。これによって、機構板３とタンクレール５の後側壁６とが僅かに離間し、突起１４と凹溝１１との係合を外すことが可能となる。そして、突起１４と凹溝１１との係合を外した状態で図９鎖線のようにタンクレール５の上流側を上方へ押上げ、さらに図１０に示すように後側壁６の下縁部を突起１４で受けさせることにより達せられる。なお、前記ガイド溝１９および突出片２０は、タンクレール５の傾斜勾配を変更するときに該タンクレール５の上下方向の移動を確実に行わせるように機能する。
【００２２】
また、本発明では、タンクレール５を機構板３に取付けた状態において該タンクレール５の横ズレをさらに確実に防止するための手段を備えている。すなわち、図２および図４に示すようにタンクレール５の上流側に位置する後側壁６の下縁部に係止孔２３を形成し、機構板３にはタンクレール５を取付けた状態においてその係止孔２３と合致する位置に弾性係止片２４を形成している。この弾性係止片２４は、先端が常に機構板３の表面から突出し、外力で押さえつけられたとき元の突出位置に復帰するように弾性が備えられている。
【００２３】
しかして、タンクレール５の取着時において該タンクレール５の後側壁６を機構板３に当接して図１１鎖線で示すように弾性係止片２４を押圧しながら横方向へスライドさせて該タンクレール５を取付ける。この取付けと同時に後側壁６で押圧されていた弾性係止片２４が弾発力で復帰し、図１１実線のようにその先端を係止孔２３に突出させて該係止孔２３の開口縁に当接し、これを係止する。これによつて、タンクレール５の横ズレが確実に防止されることになる。なお、このタンクレール５の横ズレ防止手段は、例えば図１３に示すようにタンクレール５に弾性係止片２４を形成し、機構板３に係止孔２３を形成するようにしてもよい。
【００２４】
【発明の効果】
以上説明したように、本発明に係るパチンコ機におけるタンクレールの取付構造は、簡単な構造であり、しかもビス止めすることなくワンタッチ操作でタンクレールを機構板に取付けることができ、作業性の向上、低コスト化等に優れた効果を発揮する。
【００２５】
また、タンクレールの傾斜勾配の変更もワンタッチ操作で容易にできると共に、タンクレールの横ズレを防止してタンクレールの取付け状態を確実かつ安定的に維持することができる。
【図面の簡単な説明】
【図１】本発明が適用されるパチンコ機の裏面図である。
【図２】タンクレールを機構板から分離して示す要部の斜視図である。
【図３】タンクレールの裏面斜視図である。
【図４】タンクレールを機構板に取付けた状態の要部斜視図である。
【図５】タンクレールを取付ける状態の要部の正面図図である。
【図６】タンクレールを取付けた状態の要部の正面図である。
【図７】タンクレールの上流側の後側壁部分の係止状態を示す断面図である。
【図８】タンクレールの後側壁の下側縁部分の係止状態を示す断面図である。
【図９】機構板の突起とタンクレールの凹溝との係合部分を示す断面図である。
【図１０】タンクレールの後側壁の下縁部分の正面図である。
【図１１】機構板の弾性係止片とタンクレールの係止孔との係止状態を示す断面図である。
【図１２】図１１の他の実施例図である。
【図１３】従来技術の説明図である。
【符号の説明】
２                        遊技盤
３                        機構板
４                        景品球タンク
５                        タンクレール
６                        後側壁
１０ａ，１０ｂ，１０ｃ    係止片
１１                      凹溝
１２                      嵌合突子
１３ａ，１３ｂ，１３ｃ    係止孔
１４                      突起
１５                      受部
１６                      ガイド突条
２３                      係止孔
２４                      弾性係止片
【図１】
0003547476.tif 000002
【図２】
0003547476.tif 000003
【図３】
0003547476.tif 000004
【図４】
0003547476.tif 000005
【図５】
0003547476.tif 000006
【図６】
0003547476.tif 000007
【図７】
0003547476.tif 000008
【図８】
0003547476.tif 000009
【図９】
0003547476.tif 000010
【図１０】
0003547476.tif 000011
【図１１】
0003547476.tif 000012
【図１２】
0003547476.tif 000013
【図１３】
0003547476.tif 000014